(57)【特許請求の範囲】
【請求項１】
自局の送信器識別符号を備える送信器と、自局の中継器識別符号を備える中継器と、複数の負荷を接続するとともに該負荷を制御する受信器とを備え、
前記中継器は、前記受信器に送信器を登録する場合に操作する登録モード切替手段を備え、登録モードにおいて送信器のデータフレームを受信すると該データフレーム中に登録コマンドと自局の中継器識別符号とを挿入して中継送信し、
前記受信器は、受信したデータフレーム中の中継器識別符号が登録済みであって且つ該データフレームに登録コマンドが含まれる場合には、該データフレーム中の送信器識別符号と送信器が制御する特定の負荷とを組にして登録するように構成したことを特徴とする電波式リモコンシステム。
【請求項２】
前記中継器は、前記受信器から登録済みの送信器を消去する場合に操作する消去モード切替手段を備え、消去モードにおいて送信器のデータフレームを受信すると該データフレーム中に消去コマンドと自局の中継器識別符号とを挿入して中継送信し、
前記受信器は、受信したデータフレーム中の中継器識別符号が登録済みであって且つ該データフレームに消去コマンドが含まれる場合には、該データフレーム中の送信器識別符号を消去するように構成したことを特徴とする請求項１記載の電波式リモコンシステム。
【請求項３】
前記中継器は、負荷切替コマンドを挿入したデータフレームを前記受信器に送信する切替送信手段を備え、
前記受信器は、受信したデータフレーム中の中継器識別符号が登録済みであって且つ該データフレームに負荷切替コマンドが含まれる場合において、該負荷切替コマンドを受信するたびに前記負荷を順次動作させ、
且つ前記受信器は、前記登録コマンドが含まれるデータフレームを受信すると、該データフレームに含まれる送信器識別符号と動作状態にある負荷とを組にして登録することを特徴とする請求項１または請求項２記載の電波式リモコンシステム。
【請求項４】
前記中継器は、全点灯コマンドまたは全消灯コマンドを挿入したデータフレームを前記受信器に送信する全負荷制御送信手段を備え、
前記受信器は、受信したデータフレーム中の中継器識別符号が登録済みであって且つ該データフレームに全点灯コマンド又は全消灯コマンドが含まれる場合において、前記登録コマンドが含まれるデータフレームを受信すると、該データフレームに含まれる送信器識別符号を全点灯スイッチ又は全消灯スイッチに割り当てて登録することを特徴とする請求項１から請求項３のうちいずれかに記載の電波式リモコンシステム。
【発明の詳細な説明】
【０００１】
【発明の属する技術分野】
本発明は、照明制御に用いる電波式リモコンシステムに関するものである。
【０００２】
【従来の技術】
照明制御のリモコンは、一般的に赤外式ではあるが、近年壁越し制御や受信部の天井裏及び壁面内部への埋設が要求されている。この要請に応えるために、電波を用いる電波式リモコンが提案されている。電波は、赤外線と異なり壁越し、天井越しで広範囲に電波が到達してしまうので、個々の送信器に固有の識別符号を製造時に記憶させておき、送信器はデータフレーム中に自局の識別符号を挿入して送信するようになっている。 受信器は、設置時に送信器の識別符号を登録して、以降は受信データフレーム中の送信器の識別符号が登録済みの識別符号かどうかを判断して、一致する場合のみを受け付けて動作するようになっている。
【０００３】
【発明が解決しようとする課題】
ところが、この技術では、受信器に送信器の識別符号を記憶させるために、受信器に登録釦を設けてこれを操作した後に送信器にデータフレームを送信させるという手順が必要となるために、照明制御用として受信器を天井裏や壁面内部に埋め込んで設置すると、設置後の登録操作が困難になるという問題がある。
【０００４】
本発明は、上記事由に鑑みて為されたものであり、その目的は、受信器を天井裏又は壁面に埋設した後にも、簡単に送信器をシステムに登録することができる電波式リモコンシステムを提供することである。
【０００５】
【課題を解決するための手段】
上記課題を解決するために、請求項１記載の電波式リモコンシステムは、自局の送信器識別符号を備える送信器と、自局の中継器識別符号を備える中継器と、複数の負荷を接続するとともに該負荷を制御する受信器とを備え、前記中継器は、前記受信器に送信器を登録する場合に操作する登録モード切替手段を備え、登録モードにおいて送信器のデータフレームを受信すると該データフレーム中に登録コマンドと自局の中継器識別符号とを挿入して中継送信し、前記受信器は、受信したデータフレーム中の中継器識別符号が登録済みであって且つ該データフレームに登録コマンドが含まれる場合には、該データフレーム中の送信器識別符号と送信器が制御する特定の負荷とを組にして登録するように構成したことを特徴とするものである。
【０００６】
請求項２記載の電波式リモコンシステムは、請求項１記載の電波式リモコンシステムにおいて、前記中継器は、前記受信器から登録済みの送信器を消去する場合に操作する消去モード切替手段を備え、消去モードにおいて送信器のデータフレームを受信すると該データフレーム中に消去コマンドと自局の中継器識別符号とを挿入して中継送信し、前記受信器は、受信したデータフレーム中の中継器識別符号が登録済みであって且つ該データフレームに消去コマンドが含まれる場合には、該データフレーム中の送信器識別符号を消去するように構成したことを特徴とするものである。
【０００７】
請求項３記載の電波式リモコンシステムは、請求項１または請求項２記載の電波式リモコンシステムにおいて、前記中継器は、負荷切替コマンドを挿入したデータフレームを前記受信器に送信する切替送信手段を備え、前記受信器は、受信したデータフレーム中の中継器識別符号が登録済みであって且つ該データフレームに負荷切替コマンドが含まれる場合において、該負荷切替コマンドを受信するたびに前記負荷を順次動作させ、且つ前記受信器は、前記登録コマンドが含まれるデータフレームを受信すると、該データフレームに含まれる送信器識別符号と動作状態にある負荷とを組にして登録することを特徴とするものである。
【０００８】
請求項４記載の電波式リモコンシステムは、請求項１から請求項３のうちいずれかに記載の電波式リモコンシステムにおいて、前記中継器は、全点灯コマンドまたは全消灯コマンドを挿入したデータフレームを前記受信器に送信する全負荷制御送信手段を備え、前記受信器は、受信したデータフレーム中の中継器識別符号が登録済みであって且つ該データフレームに全点灯コマンド又は全消灯コマンドが含まれる場合において、前記登録コマンドが含まれるデータフレームを受信すると、該データフレームに含まれる送信器識別符号を全点灯スイッチ又は全消灯スイッチに割り当てて登録することを特徴とするものである。
【０００９】
【発明の実施の形態】
以下、本発明の実施形態について図を参照して説明する。図１は、本発明の実施形態に係る電波式リモコンシステムの概略システム構成図である。図２は、本電波式リモコンシステムに用いる送信器の概略ブロック図である。図３は、本電波式リモコンシステムに用いる受信器の概略ブロック図である。図４は、本電波式リモコンシステムに用いる中継器の概略ブロック図である。図５は、本電波式リモコンシステムに用いる送信器のデータフレームの概略図である。図６は、本電波式リモコンシステムに用いる中継器のデータフレームの概略図である。図７は、本電波式リモコンシステムに用いる受信器の登録テーブルの概略図である。
【００１０】
この電波式リモコンシステムは、図１に示すように、送信器１ａ〜１ｃ、受信器２に加えて、中継器３を有する。ここで、受信器２は天井裏又は壁面内部に設置され、負荷となる照明器具４ａ〜４ｄが接続される。送信器１ａ〜１ｃは照明器具４ａ〜４ｄの点灯制御操作に都合の良い場所に設置される。また、中継器３は操作可能な壁面に設置しておいてもよいが、主にシステム設定時のみに必要になるものであり、施工業者等が携帯するようにしてもよい。送信器１ａ〜１ｃは電池で動作し、受信器２と中継器３には商用電源が供給されるものとする。ここでは、送信器が３台、受信器が１台設置され、この受信器に照明器具が４台接続されているが、更に多くの送信器と受信器を設置することも可能である。なお、中継器３はシステムに１台のみあればよい。
【００１１】
送信器１ａ〜１ｃは、図２に示すようにロック付押釦スイッチ１１と、マイコン１２と、ＥＥＰＲＯＭ１３と、電池１４と、発振・変調回路１５と、電源制御回路１６と、アンテナ１７とを備えている。発振・変調回路１５は、特に４２６．０２５〜４２６．１３７５ＭＨｚの周波数帯に定められる１０の周波数のうち１つを発振して、データフレームのビット列により変調して送信するものである。送信器１ａ〜１ｃには個々に１０進数１２桁の送信器識別符合が定められており、送信器の製造段階でＥＥＰＲＯＭ１３に記憶される。ここで、送信器１ａ〜１ｃのデータフレームの一例を図５に示す。プリアンブルは１０交番のビット列であり、ユニークワードは予め定められた特定のビット列である。コマンドには、ロック付押釦スイッチ１１が短絡すると点灯コマンド、開放すると消灯コマンドが挿入される。これら以外に、送信器の電池切れ等を示す制御コードや誤り検出符号を付け加えることも可能である。
【００１２】
送信器１ａ〜１ｃのロック付押釦スイッチ１１が操作されると、マイコン１２はこれを検出して、電源制御回路１６を制御して発振・変調回路１５に給電を開始する。次に、ＥＥＰＲＯＭ１３からこの送信器自体の送信器識別符号を読み出して、図５のデータフレームを組み立て、発振・変調回路１５に供給する。発振・変調回路１５は規定の周波数を発振してデータフレームのビット列によって変調し、アンテナ１７から無線送信する。
【００１３】
受信器２は、図３に示すように、アンテナ２０と、受信・復調回路２１と、ＡＣ／ＤＣ電源回路２２と、マイコン２３と、ＥＥＰＲＯＭ２４と、登録釦２５と、消去釦２６と、リレー２７ａ〜２７ｄと、端子台２８とを備えている。受信・復調回路２１は、送信器１ａ〜１ｃの発振・変調回路１５に従うものである。端子台２８には、負荷となる照明器具４ａ〜４ｄがそれぞれ接続される。
【００１４】
アンテナ２０で受信した無線信号は、受信・復調回路２１で規定の周波数だけが抽出、復調されて、図５に示す送信器のデータフレームがマイコン２３に供給される。マイコン２３は、図７に示す形式で予めＥＥＰＲＯＭ２４に登録した送信器識別符号と、受信データフレーム中の送信器識別符号を照合し、一致する場合のみ登録済み送信器のデータフレームと判断して受け付け、図７に示す登録テーブルに基づいて受信した送信器識別符号と組をなす負荷番号に対応するリレーをコマンド（点灯コマンド、消灯コマンド）に従って、ＯＮ／ＯＦＦ制御する。リレー２７ａ〜２７ｄは、商用電源ＡＣ１００ＶをＯＮ／ＯＦＦするので、端子台２８に接続された照明器具４ａ〜４ｄが点灯／消灯することになる。ここで、図７にある負荷番号１〜４は、負荷番号１が照明器具４ａ、負荷番号２が照明器具４ｂ、負荷番号３が照明器具４ｃ、負荷番号４が照明器具４ｄに対応している。なお、ＥＥＰＲＯＭ２４への登録方法（図７）は後述することにする。
【００１５】
中継器３は、図４に示すように、受信アンテナ３１と、受信・復調回路３２と、マイコン３３と、ＡＣ／ＤＣ電源回路３４と、ＥＥＰＲＯＭ３５と、登録釦３６と、消去釦３７と、登録送信釦３８と、全点灯釦３９、全消灯釦４０と、発振・変調回路４１と、送信アンテナ４２とを備えている。発振・変調回路４１は、送信器の発振・変調回路１５と同等のものであり、受信・復調回路３２は受信器の受信・復調回路２１と同等のものである。
【００１６】
システム設定時に送信器からの無線信号を受信アンテナ３１で受信すると、中継器３は、受信・復調回路３２で規定の周波数だけが抽出、復調し、図５に示すデータフレームがマイコン３３に供給される。このとき、中継器３の登録釦３６が操作されており登録モードになっていると、図６に示すように、中継器３は受信したデータフレームのコマンドに登録コマンドを挿入するとともに、自局の中継器識別符号を挿入して発振・変調回路４１からアンテナ４２を経由して中継送信する。また、中継器３はシステム設定時、登録送信釦３８を操作することにより、図５に示すデータフレームを送信することができる。この場合、データフレーム中の識別符号には中継器３の中継器識別符号が挿入されることになる。
【００１７】
次に、本発明の主な特徴である機器の設置及び登録の手順について説明する。受信器２のマイコン２３は、登録釦２５が操作されると登録モードになり、受信したデータフレーム中の識別符号を取り出してＥＥＰＲＯＭ２４に記憶するようにプログラムされている。また、消去釦２６が操作されると消去モードになり、受信データフレーム中の識別符号を取り出してＥＥＰＲＯＭ２４に記憶した識別符号と照合して一致するものを消去するようにプログラムされている。受信器２は天井裏又は壁面内部に設置されると操作が困難になるので、設置前に受信器２と中継器３に商用電源を供給し、受信器２の登録釦２５を操作して受信器２を登録モードにしたのちに中継器３の登録送信釦３８を操作して、図５に示す形式のデータフレームを送信し、中継器３の自局の中継器識別符号を受信器２に登録する。このとき誤って中継器３の中継器識別符号を登録した場合や、中継器３を交換する場合には受信器２の消去釦２６を操作して受信器２を消去モードにし、同様にして登録した中継器識別符号をＥＥＰＲＯＭ２４から消去する。この後、受信器２を所定の位置に設置する。
【００１８】
また、中継器３のマイコン３３は、登録釦３６が操作されると登録モードになり、図５に示すデータフレームのコマンドに負荷切替コマンドを挿入して受信器２に送信するようにプログラムされている。受信器２のマイコン２３は、負荷切替コマンドを受信すると、まず照明器具４ａのみをＯＮして点灯するようにプログラムされている。その後、受信器２のマイコン２３は、再び登録釦３６が操作され負荷切替コマンドを受信するたびに、順次照明器具４ｂ、照明器具４ｃ、照明器具４ｄと切り替えて点灯するようになっている。ここで、点灯している照明器具に対して遠隔操作を行わせたい送信器のロック付押釦スイッチ１１を操作すると、この送信器からのデータフレームを受信した中継器３はデータフレームのコマンドに登録コマンドを挿入するとともに、自局の中継器識別符号を挿入して中継送信する。そして、受信器２は中継器３からのデータフレーム（図６）を受信すると、設置前に予めＥＥＰＲＯＭ２４に登録した中継器識別符号と、受信データフレーム中の中継器識別符号を照合し、一致する場合のみ登録済み中継器のデータフレームと判断して受け付ける。このとき、点灯している照明器具に対応した負荷番号と受信したデータフレーム中の送信器識別符号とを組み合わせて、図７の登録テーブルの形式で受信器２のＥＥＰＲＯＭ２４に登録する。
【００１９】
また、中継器３のマイコン３３は、消去釦３７が操作されると消去モードになり、登録釦３６と同じく消去釦３７を操作するごとに図５に示す形式のデータフレームのコマンドに負荷切替コマンドを挿入して送信するようにプログラムされている。そして、点灯している照明器具に対する遠隔操作を解除させたい送信器からデータフレームを送信させ、このデータフレームを受信した中継器３は該データフレームのコマンドに消去コマンドを挿入するとともに、自局の中継器識別符号を挿入して中継送信する。そして、受信器２は中継器３からのデータフレーム（図６）を受信すると、予めＥＥＰＲＯＭ２４に登録した中継器識別符号かどうかを判断し、登録した中継器であればＯＮ状態にある負荷番号と組み合わせて登録テーブルに記憶されている送信器識別番号をＥＥＰＲＯＭ２４から消去する。
【００２０】
上述したように、この電波式リモコンシステムは、受信器２の設置前に中継器３の中継器識別符号が受信器２に登録され、登録モードにされた中継器３が登録コマンドと自局の中継器識別符号とを挿入して送信器のデータフレームを中継送信する。そして、予め中継器３の中継器識別番号を記憶している受信器２は、中継器３からのデータフレームを受け付け、該データフレーム中の送信器識別符号と現在点灯している照明器具とを対応付けて登録テーブルに記憶する。従って、受信器２を天井裏又は壁面に埋設した後にも、中継器３の登録釦３６を操作して送信器をシステムに登録することができるようになる。また、中継器３はシステム設定時だけに必要なものであり、常時設置しておく必要がないので、簡単で安価なシステムを構築することができる。
【００２１】
さらに、この電波式リモコンシステムでは、中継器３の登録釦３６を操作し登録モードにしてから全点灯釦３９を操作することによって、中継器３は図５のデータフレームのコマンドに全点灯コマンドを挿入して受信器２に送信することができる。この後、図６に示すデータフレームを受信した受信器２は、受信データフレーム中の送信器の送信器識別符号を全点灯スイッチとして割り当ててＥＥＰＲＯＭ２４に記憶するようにプログラムされている。そして、全点灯スイッチに割り当てられた送信器識別符号を受信した場合には、接続されている全ての照明器具４ａ〜４ｄをＯＮする。また、中継器３の登録釦３６を操作し全消灯釦４０を操作した場合も同様に、図５のデータフレームに全消灯コマンドを挿入して送信し、この状態で図６に示すデータフレームを受信した受信器２が受信データフレーム中の送信器の送信器識別符号を全消灯スイッチとして割り当ててＥＥＰＲＯＭ２４に記憶する。このように、受信器２は、受信データフレームの送信器識別符号が全点灯スイッチ又は全消灯スイッチに割り当てられている場合には、負荷番号にかかわりなく、全リレー２７ａ〜２７ｄをＯＮ又はＯＦＦする。
【００２２】
従って、この電波式リモコンシステムは、全点灯スイッチとして受信器２に登録された送信器のロック付押釦スイッチ１１を操作すると受信器２に接続された全ての照明器具４ａ〜４ｄが点灯し、全消灯スイッチとして登録された送信器のロック付押釦スイッチ１１を操作すると受信器２に接続された全ての照明器具４ａ〜４ｄが消灯するようになっている。なお、受信器２を複数備えたシステムにおいて、これら受信器のすべてに全点灯スイッチとして特定の送信器の送信器識別符号を登録しておくと、全受信器に接続された全ての照明器具の制御が可能となる。
【００２３】
【発明の効果】
以上、説明したように、請求項１記載の電波式リモコンシステムは、自局の送信器識別符号を備える送信器と、自局の中継器識別符号を備える中継器と、負荷を接続するとともに該負荷を制御する受信器とを備え、前記中継器は、前記受信器に送信器を登録する場合に操作する登録モード切替手段を備え、登録モードにおいて送信器のデータフレームを受信すると該データフレーム中に登録コマンドと自局の中継器識別符号とを挿入して中継送信し、前記受信器は、受信したデータフレーム中の中継器識別符号が登録済みであって且つ該データフレームに登録コマンドが含まれる場合には、該データフレーム中の送信器識別符号と送信器が制御する特定の負荷とを組にして登録するように構成したので、中継器識別符号だけを受信器に登録して設置すれば、受信器を天井裏又は壁面に埋設した後にも、中継器の操作だけで送信器をシステムに登録することができ、更に、中継器のみの操作で送信器を負荷に組み合わせて登録することができ、送信器の操作によって受信器に接続された負荷を制御することができる。
【００２４】
請求項２記載の電波式リモコンシステムは、請求項１記載の電波式リモコンシステムにおいて、前記中継器は、前記受信器から登録済みの送信器を消去する場合に操作する消去モード切替手段を備え、消去モードにおいて送信器のデータフレームを受信すると該データフレーム中に消去コマンドと自局の中継器識別符号とを挿入して中継送信し、前記受信器は、受信したデータフレーム中の中継器識別符号が登録済みであって且つ該データフレームに消去コマンドが含まれる場合には、該データフレーム中の送信器識別符号を消去するように構成したので、誤って送信器を登録した場合や送信器の登録を変更する場合には、送信器の登録を消去することができる。
【００２５】
請求項３記載の電波式リモコンシステムは、請求項１または請求項２記載の電波式リモコンシステムにおいて、前記中継器は、負荷切替コマンドを挿入したデータフレームを前記受信器に送信する切替送信手段を備え、前記受信器は、受信したデータフレーム中の中継器識別符号が登録済みであって且つ該データフレームに負荷切替コマンドが含まれる場合において、該負荷切替コマンドを受信するたびに前記負荷を順次動作させ、且つ前記受信器は、前記登録コマンドが含まれるデータフレームを受信すると、該データフレームに含まれる送信器識別符号と動作状態にある負荷とを組にして登録するので、中継器のみの操作で送信器を負荷に組み合わせて登録することができ、送信器の操作によって受信器に接続された負荷を制御することができる。
【００２６】
請求項４記載の電波式リモコンシステムは、請求項１から請求項３のうちいずれかに記載の電波式リモコンシステムにおいて、前記中継器は、全点灯コマンドまたは全消灯コマンドを挿入したデータフレームを前記受信器に送信する全負荷制御送信手段を備え、前記受信器は、受信したデータフレーム中の中継器識別符号が登録済みであって且つ該データフレームに全点灯コマンド又は全消灯コマンドが含まれる場合において、前記登録コマンドが含まれるデータフレームを受信すると、該データフレームに含まれる送信器識別符号を全点灯スイッチ又は全消灯スイッチに割り当てて登録するので、送信器の操作によって、受信器に接続された全負荷の点灯、消灯を行うことができる。
【図面の簡単な説明】
【図１】本発明の実施形態に係る電波式リモコンシステムの概略システム構成図である。図２は、図３は、図４は、図５は、図６は、図７は、本電波式リモコンシステムに用いる受信器の登録テーブルの概略図である。
【図２】同上の電波式リモコンシステムに用いる送信器の概略ブロック図である。
【図３】同上の電波式リモコンシステムに用いる受信器の概略ブロック図である。
【図４】同上の電波式リモコンシステムに用いる中継器の概略ブロック図である。
【図５】同上の電波式リモコンシステムに用いる送信器のデータフレームの概略図である。
【図６】同上の電波式リモコンシステムに用いる中継器のデータフレームの概略図である。
【図７】同上の電波式リモコンシステムに用いる受信器の登録テーブルの概略図である。
【符号の説明】
１ａ〜１ｃ  送信器
２  受信器
３  中継器
４ａ〜４ｄ  照明器具
２４  ＥＥＰＲＯＭ
３６  登録釦
３７  消去釦
３９  全点灯釦
４０  全消灯釦
【図１】
0003918513.tif 000002
【図２】
0003918513.tif 000003
【図３】
0003918513.tif 000004
【図４】
0003918513.tif 000005
【図５】
0003918513.tif 000006
【図６】
0003918513.tif 000007
【図７】
0003918513.tif 000008